(57)【要約】      （修正有）【課題】ティーバッティングにおいて、バッティングの基本であるセンター返しの感覚を習得し得るようにし、従来のティーバッティングではトサァーの危険性が高いアウトコースへの配球も安全に行えるようにし、且つ指導者であるトサァーが長時間指導しても疲労の少ない正面トス式ティーバッティング用防球ネットを提供する。【解決手段】金属製パイプを椅子に腰掛けた大人１人が隠れるサイズの縦長の矩形に組み立ててなる枠体４と、枠体の左右の金属製パイプ間に架設された枠補強パイプ８と、枠体の四辺の金属製パイプに取り付けられた合成樹脂製のネット１０と、金属製パイプを上方に開放したコ字形に組み立ててなり且つ上端部を該枠体の背面に回動自在に連結された支持脚と、該支持脚の左右の金属製パイプ間に架設された脚補強パイプと、該枠補強パイプに回動自在に軸着され且つ該脚補強パイプに着脱自在に嵌着されるジョイントアームとを備えるようにした。【選択図】図１
0003108639.tif 000002
【実用新案登録請求の範囲】
【請求項１】
金属製パイプを椅子に腰掛けた大人１人が隠れるサイズの縦長の矩形に組み立ててなる枠体と、該枠体の長手方向の中心近傍で左右の金属製パイプ間に架設された枠補強パイプと、該枠体の四辺の金属製パイプに取り付けられた合成樹脂製のネットと、金属製パイプを上方に開放したコ字形に組み立ててなり且つ上端部を該枠体の背面に回動自在に連結された支持脚と、該支持脚の上部で左右の金属製パイプ間に架設された脚補強パイプと、一端側で該枠補強パイプに回動自在に軸着され且つ他端側で該脚補強パイプに着脱自在に嵌着されるジョイントアームとを備え、前記枠体と地表面とのなす角度θ並びに前記支持脚と地表面とのなす角度θ’が６０°〜８５°となるように該枠体の背面側を前記支持脚で支持して該枠体を立設せしめてなることを特徴とする正面トス式ティーバッティング用防球ネット。
【請求項２】
前記ネットは、その網目を紐状物で縫うようにして前記枠体の四辺の金属製パイプに縛着されてなることを特徴とする請求項１記載の正面トス式ティーバッティング用防球ネット。
【請求項３】
前記ジョイントアームは、金属製パイプからなるアーム本体と、該アーム本体の一端側で前記枠補強パイプと回動自在に軸着するスリーブ体と、該アーム本体の他端側で前記脚補強パイプに着脱自在に嵌着するスリーブ半体とを備えてなることを特徴とする請求項１又は２記載の正面トス式ティーバッティング用防球ネット。
【請求項４】
総重量が５〜１０ｋｇとなるように前記枠体の金属製パイプの中空内部に錘を挿着してなることを特徴とする請求項１〜３のいずれか１項記載の正面トス式ティーバッティング用防球ネット。
【考案の詳細な説明】
【技術分野】
【０００１】
本考案は、野球やソフトボール競技のバッティング練習の一態様であるティーバッティング用の防球ネットに関する。
【背景技術】
【０００２】
従来より、野球やソフトボール競技のバッティング練習には様々な手法があるが、とりわけ重視されてきた伝統的手法の一つにティーバッティングがある。ティーバッティングは単なる素振り練習に比べて、身近にトスされたボールを実際にバットで打つという具体的な練習法であるため、あらゆる世代、レベルにおいて延々と行われてきた練習法である。
【０００３】
しかし、このティーバッティングには練習者が意識するしないに係わらず、バッティングの根本に関わる重大な制約がある。その一つはボールが投げられてくる角度が実戦と大きく異なるという点である。即ち、従来のティーバッティングでは、練習者であるバッターの正面に集球用ネットを立設し、トサァー（ティーバッティングでボールを投げる人）が横斜め方向からバッターの身近に向けてトスしたボールをバッターが正面の集球用ネットに目がけて打ち込むというものであるため（特許文献１参照）、簡単に例えるなら右打者の場合、投手が正面から投げてくるボールを３塁のファウルライン上に両足を置いて構え、３塁ベースの方向に目がけて打つという特殊な状況でバッティング練習を行っていることになり、バッティングの基本と言われている所謂センター返しの感覚を練習者が習得し難いという欠点がある（非特許文献１参照）。更に、もう一つ特筆すべき点は、トサァーはアウトコースにボールをトスすることが出来ないという欠点である。というのも、アウトコースにボールをトスした場合の打球はトサァーを直撃する危険性が高く、特に、バッターが初心者である場合にその危険性が高いのである。トサァーが大人の指導者であっても危険であるが、小中学生が友達同士でバッターとトサァーを行っている場合等では怪我を負わせかねず極めて危険である。従って、いきおいトスするコースは真ん中からインコースよりに配球が限定されることになり、バッターがアウトコースのボールをより引きつけて捉えるという感覚を学び難いのである。このようなティーバッティングの欠点は、練習者は勿論のこと、指導者の立場からも重大な問題である。
【特許文献１】特開２００２−２３３６０２号、平成１４年８月２０日公開
【非特許文献１】「落合博満の超野球学（１）バッティングの理屈」、落合博満著、ベースボールマガジン社、２００３年６月６日第１版第１刷発行、１８頁〜２１頁
【考案の開示】
【考案が解決しようとする課題】
【０００４】
本考案は、上記問題点に鑑みて為されたものであり、ティーバッティングにおいて、バッティングの基本である所謂センター返しの感覚を習得し得るようにし、また、従来のティーバッティングではトサァーの危険性が高いアウトコースへの配球も安全に行えるようにし、且つ指導者であるトサァーが長時間指導しても疲労の少ない正面トス式ティーバッティング用防球ネットを提供することを目的とする。
【課題を解決するための手段】
【０００５】
上記課題を解決するために、本考案者は鋭意検討を重ねた結果、本考案の正面トス式ティーバッティング用防球ネットは、金属製パイプを椅子に腰掛けた大人１人が隠れるサイズの縦長の矩形に組み立ててなる枠体と、該枠体の長手方向の中心近傍で左右の金属製パイプ間に架設された枠補強パイプと、該枠体の四辺の金属製パイプに取り付けられた合成樹脂製のネットと、金属製パイプを上方に開放したコ字形に組み立ててなり且つ上端部を該枠体の背面に回動自在に連結された支持脚と、該支持脚の上部で左右の金属製パイプ間に架設された脚補強パイプと、一端側で該枠補強パイプに回動自在に軸着され且つ他端側で該脚補強パイプに着脱自在に嵌着されるジョイントアームとを備え、前記枠体と地表面とのなす角度θ並びに前記支持脚と地表面とのなす角度θ’が６０°〜８５°となるように該枠体の背面側を前記支持脚で支持して該枠体を立設せしめてなることを特徴とする。
【０００６】
前記ネットは、その網目を紐状物で縫うようにして前記枠体の四辺の金属製パイプに縛着されてなることが好ましい。
【０００７】
前記ジョイントアームは、金属製パイプからなるアーム本体と、該アーム本体の一端側で前記枠補強パイプと回動自在に軸着するスリーブ体と、該アーム本体の他端側で前記脚補強パイプに着脱自在に嵌着するスリーブ半体とを備えてなることが好適である。
【０００８】
総重量が５〜１０ｋｇとなるように前記枠体の金属製パイプの中空内部に錘を挿着してなることが好ましい。
【考案の効果】
【０００９】
本考案の本考案の正面トス式ティーバッティング用防球ネットによれば、ティーバッティングにおいても実戦同様にバッターの正面方向からのトスを安全に行い得るため、バッティングの基本である所謂センター返しの感覚を練習者に習得させることができ、また、トサァーは安全にトスをアウトコースへ配球できるので、あらゆるコースのバッティングを練習者は学ぶことができ、且つ椅子に座った状態でトスできるので、指導者であるトサァーが長時間指導しても疲労を少なくできる正面トス式ティーバッティング用防球ネットを提供することができるという大きな効果を奏する。
【考案を実施するための最良の形態】
【００１０】
以下に本考案の実施の形態を添付図面に基づいて説明するが、本考案の技術思想から逸脱しない限り、これらの実施の形態について種々の変更又は変形が可能なことは言うまでもない。
【００１１】
図１は、本考案の正面トス式ティーバッティング用防球ネットの正面斜視図である。図２は、本考案の正面トス式ティーバッティング用防球ネットの背面斜視図である。図３は、本考案の正面トス式ティーバッティング用防球ネットの側面図である。図４は、本考案の正面トス式ティーバッティング用防球ネットを折り畳んだ状態で示す背面斜視図である。図５は、本考案におけるジョイントアームの要部拡大図である。図６は、図１におけるVII−VII部の断面図である。図７は、本考案の正面トス式ティーバッティング用防球ネットの使用状態説明図である。
【００１２】
図中、符号２は本考案の正面トス式ティーバッティング用防球ネットである。本考案ネット２は、大別すると、ネット１０が取り付けられた枠体４、枠体４を支える支持脚２０、枠体４と支持脚２０とを連結するジョイントアーム３０とを備える。
【００１３】
枠体４は、４本の金属製パイプ６ａ，６ｂ，６ｃ，６ｄを縦長の矩形に組み立ててなるものである。金属製パイプ６ａ〜６ｄの材質等は特に限定されないが、例えば直径２８ｍｍ程度のステンレスパイプに合成樹脂（塩化ビニル、ポリプロピレン、ポリエチレン等）による被覆を施したものが、耐候性や剛性、価格等の点から好適である。また、枠体４は椅子に腰掛けた大人１人が隠れるサイズである必要があるが、集球ネットではないので必要以上に大きなサイズである必要はない。そのため、金属製パイプ６ａ〜６ｄのサイズは、例えば、長尺な縦材である金属製パイプ６ａ，６ｂの長さを１４５ｃｍ程度、短尺な横材である金属製パイプ６ｃ，６ｄの長さを６７ｃｍ程度とすればよい。そして、このような金属製パイプ６ａ〜６ｄを用い、これらをＬ字継手（エルボ）７ａ，７ｂ，７ｃ，７ｄで接続固定して縦長の矩形に組み立てるようにする。なお、上記説明では、製造の容易性等から枠体４を４本の金属製パイプ６ａ〜６ｄで構成する場合を説明したが、金属製パイプを溶接や曲げ加工して、枠体４を一体的に構成してもよいことは勿論である。
【００１４】
枠体４には、補強のためと、後述するジョイントアーム３０の取付のために、その長手方向の中心近傍に、左右の金属製パイプ６ａ，６ｂ間に枠補強パイプ８を架設する。即ち、金属製パイプ６ａ，６ｂの上端から７３ｃｍ程度の位置に夫々、Ｔ字継手９ａ，９ｂを配置して枠補強パイプ８を接続固定する。枠補強パイプ８の材質等は金属製パイプ６ａ〜６ｄと同様である。
【００１５】
そして、枠体４の四辺の金属製パイプ６ａ〜６ｄにポリエチレン等の合成樹脂製のネット１０を取り付ける。好ましくは、ネット１０の網目を紐状物であるロープ１２で縫うようにして金属製パイプ６ａ〜６ｄに縛着する。この取り付け態様が最も簡便に強度を出すことができるからである。
【００１６】
支持脚２０は、３本の金属製パイプ２２ａ，２２ｂ，２２ｃを上方に開放したコ字形に組み立ててなるものである。金属製パイプ２２ａ〜２２ｃの材質等は、枠体４の金属製パイプ６ａ〜６ｄの場合と同様である。金属製パイプ２２ａ〜２２ｃのサイズは、例えば、長尺な縦材である金属製パイプ２２ａ，２２ｂの長さを９０ｃｍ程度、短尺な横材である金属製パイプ２２ｃの長さを枠体４の金属製パイプ６ｃ，６ｄと同様に６７ｃｍ程度とすればよい。そして、このような金属製パイプ２２ａ〜２２ｃを用い、これらをＬ字継手（エルボ）２３ａ，２３ｂで接続固定して上方に開放したコ字形に組み立てるようにする。なお、上記説明では、製造の容易性等から支持脚２０を３本の金属製パイプ２２ａ〜２２ｃで構成する場合を説明したが、金属製パイプを溶接や曲げ加工して、支持脚２０を一体的に構成してもよいことは勿論である。
【００１７】
また、支持脚２０は、その上端部（開放端部）を枠体４の背面に回動自在に連結される。即ち、金属製パイプ２２ａ，２２ｂの上端部に夫々留め金４４ａ，４４ｂが取り付けられ、また、金属製パイプ６ａ，６ｂの対応する位置にも留め金４２ａ，４２ｂが取り付けられており、この留め金４４ａ，４４ｂと留め金４２ａ，４２ｂが回動軸４０ａ，４０ｂで回動自在に連結されているものである（図２及び図３参照）。これにより、支持脚２０は、枠体４の背面に回動軸４０ａ，４０ｂを軸にして回動自在な状態で取り付けられることとなる。
【００１８】
支持脚２０には、補強のためと、後述するジョイントアーム３０の取付のために、その上部に、左右の金属製パイプ２２ａ，２２ｂ間に脚補強パイプ２４を架設する。即ち、金属製パイプ２２ａ，２２ｂの上部（枠体４における枠補強パイプ８と対応した位置）に、夫々、Ｔ字継手２５ａ，２５ｂを配置して脚補強パイプ２４を接続固定する。脚補強パイプ２４の材質等は金属製パイプ２２ａ〜２２ｃと同様である。
【００１９】
ジョイントアーム３０は、枠体４と支持脚２０とを連結するものであり、一端側で枠補強パイプ８に回動自在に軸着され且つ他端側で脚補強パイプ２４に着脱自在に嵌着されるものである。即ち、ジョイントアーム３０は、金属製パイプからなるアーム本体３３と、アーム本体３３の一端側で枠補強パイプ８と回動自在に軸着するスリーブ体３２と、アーム本体３３の他端側で脚補強パイプ２４に着脱自在に嵌着するスリーブ半体３４とを備える（図５参照）。これにより、ジョイントアーム３０のスリーブ半体３４を脚補強パイプ２４に嵌着すれば、枠体４に対して支持脚２０が固定されることとなり、本考案ネット２を立設せしめて使用可能状態となる（図１〜図３、図７参照）。他方、ジョイントアーム３０のスリーブ半体３４を脚補強パイプ２４から脱離すれば、枠体４に対して支持脚２０が解放されるので、支持脚２０は回動可能となり、支持脚２０を枠体４に近接せしめるように回動して折り畳むことができる（図４参照）。支持脚２０を折り畳めば、比較的狭い収納スペースにも収納可能となるので、利便性の優れたものとなる。
【００２０】
また、枠体４と地表面とのなす角度θ並びに支持脚２０と地表面とのなす角度θ’が６０°〜８５°、好ましくは６５°〜７５°となるように枠体４の背面側を支持脚２０で支持して枠体４を立設せしめてなることが望ましい（図３参照）。本発明ネット２は、比較的近距離で打球が衝突するため、耐衝撃性に優れる必要があるからである。角度θ及び角度θ’は、あまり角度が小さいと本考案ネット２の高さが低くなり過ぎて、トサァーの身体を隠し辛くなるし、あまり角度が大きいと打球の衝突により、本考案ネット２が倒れ易くなるので好ましくない。なお、図示例では、回動軸４０ａ，４０ｂを頂点として枠体４の下端までの長さと支持脚２０の下端までの長さが同一の２等辺三角形をなしている場合（図３参照）を示しているので、角度θと角度θ’は同じ角度をなしているが、回動軸４０ａ，４０ｂから枠体４の下端までの長さよりも、回動軸４０ａ，４０ｂから支持脚２０の下端までの長さを若干長くする等して、角度θと角度θ’とが異なる角度をなすようにしてもよいことは勿論である。
【００２１】
本考案ネット２は、打球の衝突に耐え得るように、その総重量を５〜１０ｋｇ、好ましくは６〜８ｋｇ程度となるようにすることが望ましい。あまり軽いと耐衝撃性が劣り不安定となるし、あまり重いと取り回し辛くなり持ち運び等で不便だからである。前述した各種の金属製パイプ６ａ〜６ｄ，２２ａ〜２２ｃ、枠補強パイプ８及び脚補強パイプ２４に比較的重量の重い鋼材を用いるようにすれば必ずしも必要ではないが、枠体４の金属製パイプ６ｄや枠補強パイプ８の中空内部に錘５０を挿着することが望ましい。金属製パイプ６ｄや枠補強パイプ８としたのは低重心である方が安定するからである。錘５０は例えば長尺の棒状錘を用い、金属製パイプとの間に隙間ができるようであれば、新聞紙等の充填物５２で空隙を埋めるようにすればよい（図６参照）。
【００２２】
そして、本考案ネット２の使用に際しては、本考案ネット２をバッターの正面方向に立設せしめ、トサァーＴは椅子Ｃに腰掛けて、本考案ネット２の裏側に位置するようにして身体を隠し、ボールＢをバッターの向けてトスする（図７参照）。これにより、ティーバッティングにおいても実戦同様にバッターの正面方向からのトスを安全に行うことができ、バッティングの基本である所謂センター返しの感覚を練習者に習得させることが容易になり、また、トサァーは安全にトスをアウトコースへ配球できるので、あらゆるコースのバッティングをバッターは学ぶことができるようになる。また、椅子に座った状態でトスできるので、指導者であるトサァーが長時間指導しても疲労を少なくできる。
【図面の簡単な説明】
【００２３】
【図１】本考案の正面トス式ティーバッティング用防球ネットの正面斜視図である。
【図２】本考案の正面トス式ティーバッティング用防球ネットの背面斜視図である。
【図３】本考案の正面トス式ティーバッティング用防球ネットの側面図である。
【図４】本考案の正面トス式ティーバッティング用防球ネットを折り畳んだ状態で示す背面斜視図である。
【図５】本考案におけるジョイントアームの要部拡大図である。
【図６】図１におけるVII−VII部の断面図である。
【図７】本考案の正面トス式ティーバッティング用防球ネットの使用状態説明図である。
【符号の説明】
【００２４】
２：正面トス式ティーバッティング用防球ネット、４：枠体、６ａ，６ｂ，６ｃ，６ｄ：金属製パイプ、８：枠補強パイプ、７ａ，７ｂ，７ｃ，７ｄ：Ｌ字継手、９ａ，９ｂ：Ｔ字継手、１０：ネット、１２：ロープ、２０：支持脚、２２ａ，２２ｂ，２２ｃ：金属製パイプ、２３ａ，２３ｂ：Ｌ字継手、２４：脚補強パイプ、２５ａ，２５ｂ：Ｔ字継手、３０：ジョイントアーム、３２：スリーブ体、３３：アーム本体、３４：スリーブ半体、４０ａ，４０ｂ：回動軸、４２ａ，４２ｂ：留め金、４４ａ，４４ｂ：留め金、５０：錘、５２：充填物、Ｂ：ボール、Ｃ：椅子、Ｔ：トサァー。
【図１】
0003108639.tif 000003
【図２】
0003108639.tif 000004
【図３】
0003108639.tif 000005
【図４】
0003108639.tif 000006
【図５】
0003108639.tif 000007
【図６】
0003108639.tif 000008
【図７】
0003108639.tif 000009